【手続補正書】
【提出日】平成18年4月14日(2006.4.14)
【手続補正１】
【補正対象書類名】明細書
【補正対象項目名】特許請求の範囲
【補正方法】変更
【補正の内容】
【特許請求の範囲】
【請求項１】  以下の式（ＩＩ）を有する、二価の多結合化合物またはその薬学的に受容可能な塩であって：
【化１】
2002517460.tif 000001
ここで：
Ａｒ１は以下の式（ｃ）のフェニル環であり：
【化２】
2002517460.tif 000002
ここで：
Ｒ４は、水素、アルキル、ハロまたはアルコキシであり；
Ｒ５は、水素、ヒドロキシ、ハロ、またはアミノであり；
Ｒ６は、水素、ハロ、ヒドロキシ、アルコキシ、置換アルキル、または−ＮＲＣ（Ｏ）Ｒであり、ここで、各Ｒは、水素またはアルキルであるか；あるいは
Ａｒ１は、２，８−ジヒドロキシキノリン−５−イルであり；
Ａｒ３は、以下の（ｉ）〜（ｉｉｉ）のいずれかであり：
（ｉ）上記に定義した式（ｃ）のフェニル環；または
（ｉｉ）以下の式（ｄ）のフェニル環：
【化３】
2002517460.tif 000003
ここで：
Ｒ７は、水素、アルキル、アルケニル、置換アルキル、ハロ、アルコキシ、置換アルコキシ、またはヒドロキシであり；そして
Ｒ８は、水素、ハロ、アルコキシ、または置換アルコキシである；または
（ｉｉｉ）ナフチルである；
ここで、置換アルキルとは、ヒドロキシメチル、ヒドロキシエチル、ヒドロキシプロピル、２−アミノエチル、３−アミノプロピル、２−メチルアミノエチル、３−ジメチルアミノプロピル、２−スルホンアミドエチルまたは２−カルボキシエチルを意味し、そして置換アルコキシとは、（置換アルキル）−Ｏ−を意味し；
Ｗは、結合または置換アルキレン鎖であり、ここで該アルキレン基における１つ以上の炭素原子は、必要に応じて−Ｏ−により置換され；
Ａｒ２は、フェニレン（ここで、該Ｗ基および該Ｘ基は、該フェニル環の１，２−位、１，３−位および１，４−位で結合している）；または必要に応じてメチルで置換されるシクロヘキシレン（ここで、該Ｗ基および該Ｘ基は、該シクロヘキシル環の１，３−位および１，４−位で結合している）であり；
Ｘは、共有結合であり；
Ｑは、、−ＮＨ−ＣＨ２−ＣＨ（ＯＨ）−；−ＮＨ−ＣＨ（ＣＨ２ＯＨ）−；−（ＣＨ２）３−Ｏ−（ＣＨ２）６−ＮＨ−ＣＨ２−ＣＨ（ＯＨ）−；または−ＮＨ−ＣＨ２−ＣＨ（ＯＨ）−ＣＨ２−Ｏ−である、
化合物。
【請求項２】  請求項１に記載の化合物であって、Ａｒ１において：
Ｒ４は、水素、メチル、フルオロ、クロロ、およびメトキシからなる群より選択され；
Ｒ５は、水素、ヒドロキシ、フルオロ、クロロ、およびアミノからなる群より選択され；
Ｒ６は、水素、クロロ、フルオロ、ヒドロキシ、メトキシ、ヒドロキシメチル、および−ＮＨＣＨＯからなる群より選択される、
化合物。
【請求項３】  請求項１に記載の化合物であって、ここで：
Ａｒ１が、４−ヒドロキシ−３−ヒドロキシメチルフェニル、４−ヒドロキシ−３−（ＨＣＯＮＨ−）フェニル、３，５−ジクロロ−４−アミノフェニル、または２，８−ジヒドロキシキノリン−５−イルである、化合物。
【請求項４】  Ａｒ１が、２，８−ジヒドロキシキノリン−５−イルである、請求項３に記載の化合物。
【請求項５】  請求項１〜４のいずれか１項に記載の化合物であって、ここで：
Ａｒ３が、以下：
（ｉ）式（ｃ）のフェニル環であり、ここで：
Ｒ４は、水素、メチル、フルオロ、クロロ、およびメトキシからなる群より選択され；
Ｒ５は、水素、ヒドロキシ、フルオロ、クロロ、およびアミノからなる群より選択され；そして
Ｒ６は、水素、クロロ、フルオロ、ヒドロキシ、メトキシ、ヒドロキシメチル、および−ＮＨＣＨＯからなる群より選択される；あるいは
（ｉｉ）式（ｄ）のフェニル環であり、ここで：
Ｒ７は、水素、メチル、プロペン−２−イル、フルオロ、クロロ、メトキシ、およびヒドロキシからなる群より選択され；そして
Ｒ８は、水素、フルオロ、クロロ、およびメトキシからなる群より選択される、
化合物。
【請求項６】  Ａｒ３が、以下：
【化４】
2002517460.tif 000004
からなる群より選択される、請求項１〜４のいずれか１項に記載の化合物。
【請求項７】  請求項１に記載の化合物であって、ここで：
Ａｒ３が、請求項６に与えられる意味を有し、そして
Ａｒ１が、フェニル、４−ヒドロキシフェニル、３，４−ジヒドロキシフェニル、３，４−ジクロロフェニル、２−クロロ−３，４−ジヒドロキシフェニル、２−フルオロ−３，４−ジヒドロキシフェニル、４−ヒドロキシ−３−メトキシフェニル、４−ヒドロキシ−３−ヒドロキシメチルフェニル、４−ヒドロキシ−３−（ＨＣＯＮＨ−）フェニル、３−クロロフェニル、２，５−ジメトキシフェニル、３，５−ジクロロ−４−アミノフェニル、および２，８−ジヒドロキシキノリン−５−イルからなる群より選択される、
化合物。
【請求項８】  Ａｒ２が、１，４−フェニレンである、請求項１〜７のいずれか１項に記載の化合物。
【請求項９】  請求項１〜８のいずれか１項に記載の化合物であって、Ｗが、結合、メチレン、エチレン、プロピレン、−（ＣＨ２）６−Ｏ−（ＣＨ２）３−、または−（ＣＨ２）６−Ｏ−である、化合物。
【請求項１０】  Ａｒ３が、フェニルまたは４−ヒドロキシ−３−ヒドロキシメチルフェニルである、請求項９に記載の化合物。
【請求項１１】  以下の式：
【化５】
2002517460.tif 000005
を有する化合物、ならびにその薬学的に受容可能な塩であって、ここで、＊Ｃおよび＊＊Ｃにおける立体化学が、（ＲＳ）と（ＲＳ）；（ＲＳ）と（Ｒ）；（ＲＳ）と（Ｓ）；（Ｒ）と（Ｓ）；および（Ｒ）と（Ｒ）からなる群より選択される、化合物。
【請求項１２】  ＊Ｃおよび＊＊Ｃにおける立体化学が、（Ｒ）と（Ｒ）である、請求項１１に記載の化合物。
【請求項１３】  ｔｒａｎｓ−１，４−ビス｛Ｎ−［２−（４−ヒドロキシ−３−ヒドロキシメチルフェニル）−２−ヒドロキシエチル］アミノ｝シクロヘキサン；１，８−ビス｛Ｎ−［２−（４−ヒドロキシ−３−ヒドロキシメチルフェニル）−２−ヒドロキシエチル］アミノ｝−ｐ−メンタン；１−Ｎ−［２−（４−ヒドロキシ−３−ヒドロキシメチルフェニル）−２−ヒドロキシエチル］アミノメチル｝−２−｛Ｎ−［２−（４−ヒドロキシ−３−ヒドロキシメチルフェニル）−２−ヒドロキシエチル］アミノ｝ベンゼン；１−｛２−［Ｎ−２−［（４−ヒドロキシ−３−ヒドロキシメチルフェニル）−２−ヒドロキシエチル］アミノ］エチル｝−４−｛Ｎ−［２−（４−ヒドロキシ−３−ヒドロキシメチルフェニル）−２−ヒドロキシエチル］アミノ｝ベンゼン；１−｛Ｎ−［２−（４−ヒドロキシ−３−ヒドロキシ−メチルフェニル）−２−ヒドロキシエチル］アミノメチル｝−４−｛Ｎ−［２−（４−ヒドロキシ−３−ヒドロキシ−メチルフェニル）−２−ヒドロキシエチル］アミノ｝ベンゼン；１−｛２−［Ｎ−２−［（４−ヒドロキシ−３−ヒドロキシメチルフェニル）−２−ヒドロキシエチル］アミノ｝−エチル｝−４−｛Ｎ−［２−フェニル−２−ヒドロキシエチル］アミノ］ベンゼン；１−｛２−［Ｎ−［２−フェニル−２−ヒドロキシエチル］アミノエチル｝−４−［Ｎ−（２−フェニル−２−ヒドロキシエチル）アミノ］−ベンゼン；１−｛２−［Ｎ−２−（４−ヒドロキシ−３−ヒドロキシ−メチルフェニル）−２−ヒドロキシエチル］アミノ］エチル｝−４−｛Ｎ−（２−フェニル−２−（Ｓ）−ヒドロキシエチル）−アミノ］ベンゼン；１−｛２−［Ｎ−２−（４−ヒドロキシ−３−ヒドロキシメチルフェニル）−２−ヒドロキシエチル］アミノ］エチル｝−４−｛Ｎ−（２−フェニル−２−（Ｒ）−ヒドロキシエチル）アミノ］ベンゼン；１−｛２−｛Ｎ−２−（４−ヒドロキシ−３−ヒドロキシメチルフェニル）−２−（Ｒ）−ヒドロキシエチル］アミノエチル｝−４−［Ｎ−（２−フェニル−２−（Ｓ）−ヒドロキシエチル）アミノ］ベンゼン；１−｛２−［Ｎ−２−（４−ヒドロキシ−３−ヒドロキシ−メチルフェニル）−２−ヒドロキシエチル］アミノ］エチル｝−４−｛Ｎ−（２−ナフト−１−イルオキシメチル−２−ヒドロキシエチル）アミノ］ベンゼンの化合物；またはその薬学的に受容可能な塩のうちの１つである、請求項１に記載の化合物。
【請求項１４】  薬学的に受容可能なキャリア、および有効量の請求項１〜１３のいずれか一項に記載の化合物を含む、薬学的組成物。
【請求項１５】  医薬品として使用するための、請求項１〜１３のいずれか１項に記載の化合物。
【請求項１６】  前記医薬品が、哺乳動物において、β２アドレナリン作動性レセプターによって媒介される疾患を処置するためのものである、請求項１５に記載の化合物。
【請求項１７】  前記疾患が、呼吸器疾患である、請求項１６に記載の化合物。
【請求項１８】  前記呼吸器疾患が、喘息である、請求項１７に記載の化合物。
【請求項１９】  医薬品として使用するための、請求項１４に記載の薬学的組成物。
【請求項２０】  前記医薬品が、哺乳動物において、β２アドレナリン作動性レセプターによって媒介される疾患を処置するためのものである、請求項１９に記載の薬学的組成物。
【請求項２１】  前記疾患が、呼吸器疾患である、請求項２０に記載の薬学的組成物。
【請求項２２】  前記呼吸器疾患が、喘息である、請求項２１に記載の薬学的組成物。
【請求項２３】  哺乳動物においてβ２アドレナリン作動性レセプターによって媒介される疾患を処置するための医薬品の作製における、請求項１〜１３のいずれか１項に記載の化合物の使用。
【請求項２４】  前記疾患が、呼吸器疾患である、請求項２３に記載の使用。
【請求項２５】  前記呼吸器疾患が、喘息である、請求項２４に記載の使用。
【請求項２６】  哺乳動物においてβ２アドレナリン作動性レセプターによって媒介される疾患を処置するための医薬品の作製における、請求項１４に記載の薬学的組成物の使用。
【請求項２７】  前記疾患が、呼吸器疾患である、請求項２６に記載の使用。
【請求項２８】  前記呼吸器疾患が、喘息である、請求項２７に記載の使用。